(57)【要約】【課題】ユーザの対面側から映像を把握できるように反転表示を行った場合であっても、両眼視差による有効な立体表示を実現することが可能となる。【解決手段】立体映像表示装置１００は、ディスプレイ１２０に表示させる映像を上下左右反転させるための入力を受け付けると、ディスプレイにおいて両眼視差による立体視を実現させるため、左眼に視認させる左眼映像データまたは右眼に視認させる右眼映像データの一方を第１の表示ラインに対応する位置にライン単位で配置し、他方を第２の表示ラインに対応する位置にライン単位で配置した立体表示データに、奇数ライン分の任意のラインデータを挿入し、かつ、立体表示データをライン単位で奇数ライン分シフトし、シフトした立体表示データをディスプレイに上下左右反転させて表示させる。【選択図】    図２
2011049938.tif 000002
【特許請求の範囲】
【請求項１】
第１の表示ラインと、前記第１の表示ラインとは偏光特性が異なる第２の表示ラインとを交互に並置したディスプレイと、
前記ディスプレイにおいて両眼視差による立体視を実現させるため、左眼に視認させる左眼映像データまたは右眼に視認させる右眼映像データの一方を前記第１の表示ラインに対応する位置にライン単位で配置し、他方を前記第２の表示ラインに対応する位置にライン単位で配置した立体表示データを前記ディスプレイに表示させる表示制御部と、
前記ディスプレイに表示させる映像を上下左右反転させるための入力を受け付ける反転受付部と、
を備え、
前記表示制御部は、前記反転受付部が前記上下左右反転させるための入力を受け付けると、前記立体表示データに奇数ライン分の任意のラインデータを挿入し、かつ、前記立体表示データをライン単位で前記奇数ライン分シフトし、前記シフトした立体表示データを前記ディスプレイに上下左右反転させて表示させることを特徴とする立体映像表示装置。
【請求項２】
前記任意のラインデータは、予め定められたデータであることを特徴とする請求項１に記載の立体映像表示装置。
【請求項３】
第１の表示ラインと、前記第１の表示ラインとは偏光特性が異なる第２の表示ラインとを交互に並置し、前記第１の表示ラインと前記第２の表示ラインの総ライン数が奇数であるディスプレイと、
前記ディスプレイに表示させる映像を上下左右反転させるための入力を受け付ける反転受付部と、
前記ディスプレイおいて両眼視差による立体視を実現させるため、左眼に視認させる左眼映像データまたは右眼に視認させる右眼映像データの一方を前記第１の表示ラインに対応する位置にライン単位で配置し、他方を前記第２の表示ラインに対応する位置にライン単位で配置した立体表示データを前記ディスプレイに表示させ、前記前記反転受付部が前記上下左右反転させるための入力を受け付けると、前記立体表示データを上下左右反転させて前記ディスプレイに表示させる表示制御部と、
を備えることを特徴とする立体映像表示装置。
【請求項４】
前記立体表示データの総ライン数を計数するデータ計数部をさらに備え、
前記表示制御部は、計数された前記立体表示データの総ライン数が、前記ディスプレイにおける表示ラインの総ライン数未満、かつ偶数である場合、少なくとも前記立体表示データの最後のラインデータの後に、奇数ライン分の任意のラインデータを挿入することを特徴とする請求項３に記載の立体映像表示装置。
【請求項５】
前記任意のラインデータは、予め定められたデータであることを特徴とする請求項４に記載の立体映像表示装置。
【請求項６】
前記立体表示データの総ライン数を計数するデータ計数部をさらに備え、
前記表示制御部は、計数された前記立体表示データの総ライン数が、前記ディスプレイにおける表示ラインの総ライン数を超過し、かつ偶数である場合、超過した分の前記ラインデータのうち、少なくとも前記立体表示データのラインデータから最後の奇数ライン分のラインデータを削除することを特徴とする請求項３に記載の立体映像表示装置。
【発明の詳細な説明】
【技術分野】
【０００１】
本発明は、両眼視差による立体映像をディスプレイに表示することが可能な立体映像表示装置に関する。
【背景技術】
【０００２】
ノート型パーソナルコンピュータ、携帯電話等の電子機器に設けられたディスプレイには、その電子機器を利用するユーザが視認し易いように、ユーザの視認姿勢に上下を合わせて映像を出力している。
【０００３】
一方、会議や商談、プレゼンテーション等、上述した電子機器を利用するユーザの対面に第三者が位置するとき、その第三者にディスプレイを介して映像を視認させようとしても、対面側からディスプレイを見ると映像の上下左右が反転された状態になっていて、映像が見にくくなる。
【０００４】
そこで、通常表示と、通常表示を上下方向に反転した反転表示とを切り替え可能な切り替えスイッチを設け、切り替えスイッチを通じて反転表示が指示された場合に、表示画面に対応した画像信号を最終アドレスから順次読み出し、その読み出された信号単位の最上位ビットと最下位ビットとを反転してディスプレイに表示させる技術が開示されている（例えば、特許文献１）。
【先行技術文献】
【特許文献】
【０００５】
【特許文献１】特開平７−３３４１４８号公報
【発明の概要】
【発明が解決しようとする課題】
【０００６】
一方、近年では、ディスプレイ上に、視差を有する２以上の映像を表示し、ユーザ（観察者）に対してあたかもオブジェクトが立体的に存在するように知覚させる立体映像表示装置が脚光を浴びている。
【０００７】
このような映像表示を実現するための技術については、様々な提案がなされており、例えば、偏光フィルタ方式が提案されている。偏光フィルタ方式を採用する立体映像表示装置は、偏光特性が所定角度異なる２種類の偏光フィルタを、隔行で（１表示ライン毎に）配置したディスプレイの、一方の偏光フィルタが配置された表示ラインに左眼映像データを、他方の偏光フィルタが配置された表示ラインに右眼映像データを表示することにより、左眼映像と右眼映像とが交互に並んだ状態で同時に表示される。そして、ユーザは、偏光眼鏡を通じて、隔行の表示ラインに示された左眼映像を左眼で、右眼映像を右眼で視認し、両眼視差による立体映像を認識することが可能となる。
【０００８】
ここで、ディスプレイは、インターレース方式や、ＶＧＡ（Video Graphics Array）等の表示規格、ＨＤＴＶ（High Definition TeleVision）等の映像規格に対応させるために、偶数本の表示ラインを有しているので、最上部の表示ラインに一方の偏光フィルタが配置されていれば、最下部の表示ラインには他方の偏光フィルタが配置されることとなる。
【０００９】
しかし、立体映像表示装置において、ユーザの対面に位置する第三者がその立体映像の視認を所望したとき、上述した特許文献１の技術を利用して、ユーザに視認させる場合と読み出し順序を逆にして映像データをディスプレイに反転表示させると、左眼映像および右眼映像と表示ラインとの対応関係がずれてしまい、ユーザの対面側からディスプレイを見た場合に有効な立体映像を得ることができなくなる。
【００１０】
詳細に、例えば、図１６（ａ）に示す、１表示ライン毎に偏光特性の異なる偏光フィルタが設けられているディスプレイ１０にユーザ１６の通常の視認姿勢に合わせた通常表示を行う場合、表示ラインＬ１、Ｌ３、Ｌ５、Ｌ７、Ｌ９、Ｌ１１（図１６中ハッチングで示す）に左眼映像１２が、表示ラインＲ２、Ｒ４、Ｒ６、Ｒ８、Ｒ１０、Ｒ１２（図１６中クロスハッチングで示す）に右眼映像１４が表示され、偏光眼鏡を介して、隣接する表示ライン同士、例えば、表示ラインＬ５と表示ラインＲ６や表示ラインＲ６と表示ラインＬ７の映像が両眼視差によって結像し、ユーザ１６に立体映像を知覚させる。
【００１１】
しかし、ユーザ１６の対面側の第三者１８にその映像を視認させるため、通常表示を上下方向に反転した（視軸を中心に１８０°回転した）反転表示を試みて、通常表示とは読み出し順序を逆にして映像データをディスプレイ１０に表示させると、図１６（ｂ）に示すように、左眼映像１２に対応すべき表示ラインＬ１、Ｌ３、Ｌ５、Ｌ７、Ｌ９、Ｌ１１に右眼映像１４が、右眼映像１４に対応すべき表示ラインＲ２、Ｒ４、Ｒ６、Ｒ８、Ｒ１０、Ｒ１２に左眼映像１２が表示されてしまい、通常表示させる場合と反転表示させる場合とで結像位置が異なり、本来表示すべき立体映像を第三者１８に知覚させることができない。
【００１２】
本発明は、このような課題に鑑み、ユーザの対面側から映像を把握できるように反転表示を行った場合であっても、両眼視差による有効な立体表示を実現することが可能な、立体映像表示装置を提供することを目的としている。
【課題を解決するための手段】
【００１３】
上記課題を解決するために、本発明の立体映像表示装置は、第１の表示ラインと、第１の表示ラインとは偏光特性が異なる第２の表示ラインとを交互に並置したディスプレイと、ディスプレイにおいて両眼視差による立体視を実現させるため、左眼に視認させる左眼映像データまたは右眼に視認させる右眼映像データの一方を第１の表示ラインに対応する位置にライン単位で配置し、他方を第２の表示ラインに対応する位置にライン単位で配置した立体表示データをディスプレイに表示させる表示制御部と、ディスプレイに表示させる映像を上下左右反転させるための入力を受け付ける反転受付部と、を備え、表示制御部は、反転受付部が上下左右反転させるための入力を受け付けると、立体表示データに奇数ライン分の任意のラインデータを挿入し、かつ、立体表示データをライン単位で奇数ライン分シフトし、シフトした立体表示データをディスプレイに上下左右反転させて表示させることを特徴とする。
【００１４】
任意のラインデータは、予め定められたデータであってもよい。
【００１５】
上記課題を解決するために、本発明の他の立体映像表示装置は、第１の表示ラインと、第１の表示ラインとは偏光特性が異なる第２の表示ラインとを交互に並置し、第１の表示ラインと第２の表示ラインの総ライン数が奇数であるディスプレイと、ディスプレイに表示させる映像を上下左右反転させるための入力を受け付ける反転受付部と、ディスプレイにおいて両眼視差による立体視を実現させるため、左眼に視認させる左眼映像データまたは右眼に視認させる右眼映像データの一方を第１の表示ラインに対応する位置にライン単位で配置し、他方を第２の表示ラインに対応する位置にライン単位で配置した立体表示データをディスプレイに表示させ、反転受付部が上下左右反転させるための入力を受け付けると、立体表示データを上下左右反転させてディスプレイに表示させる表示制御部と、を備えることを特徴とする。
【００１６】
立体表示データの総ライン数を計数するデータ計数部をさらに備え、表示制御部は、計数された立体表示データの総ライン数が、ディスプレイにおける表示ラインの総ライン数未満、かつ偶数である場合、少なくとも立体表示データの最後のラインデータの後に、奇数ライン分の任意のラインデータを挿入してもよい。
【００１７】
任意のラインデータは、予め定められたデータであってもよい。
【００１８】
立体表示データの総ライン数を計数するデータ計数部をさらに備え、表示制御部は、計数された立体表示データの総ライン数が、ディスプレイにおける表示ラインの総ライン数を超過し、かつ偶数である場合、超過した分のラインデータのうち、少なくとも立体表示データのラインデータから最後の奇数ライン分のラインデータを削除してもよい。
【発明の効果】
【００１９】
本発明の立体映像表示装置は、ユーザの対面側から映像を把握できるように反転表示を行った場合であっても、両眼視差による有効な立体表示を実現することが可能となる。
【図面の簡単な説明】
【００２０】
【図１】第１の実施形態にかかる立体映像表示装置の使用形態図である。
【図２】第１の実施形態にかかる立体映像表示装置の概略的な機能を示した機能ブロック図である。
【図３】第１の実施形態にかかる立体映像表示装置の外観斜視図である。
【図４】立体映像データと立体表示データを説明するための説明図である。
【図５】第１の実施形態にかかるディスプレイを説明するための説明図である。
【図６】表示制御部の処理について説明するための説明図である。
【図７】表示制御部が立体表示データをディスプレイに表示させる際の表示順序を説明するための説明図である。
【図８】反転表示機能を有するディスプレイを説明するための説明図である。
【図９】第１の実施形態にかかる立体映像表示方法の全体的な流れを示したフローチャートである。
【図１０】第１の実施形態にかかる立体映像表示方法の全体的な流れを示したフローチャートである。
【図１１】第２の実施形態における立体映像表示装置の概略的な機能を示した機能ブロック図である。
【図１２】第２の実施形態にかかるディスプレイを説明するための説明図である。
【図１３】表示制御部の処理について説明するための説明図である。
【図１４】第２の実施形態にかかる立体映像表示方法の全体的な流れを示したフローチャートである。
【図１５】第２の実施形態にかかる立体映像表示方法の全体的な流れを示したフローチャートである。
【図１６】従来の立体映像表示装置を説明するための説明図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
（第１の実施形態）
図１は、第１の実施形態にかかる立体映像表示装置１００の使用形態図である。図１（ａ）に示すように、立体映像表示装置１００のディスプレイ１２０をユーザ１０２側から視認する場合、立体映像表示装置１００は、ユーザ１０２が視認し易いように、ユーザ１０２の視認姿勢に上下を合わせて（通常表示で）映像を出力する。
【００２３】
一方、立体映像表示装置１００を挟んで、ユーザ１０２の対面に第三者１０４が位置するとき、その第三者１０４にディスプレイ１２０に表示された映像を視認させようとしても、第三者１０４側からディスプレイ１２０を見ると映像の上下左右の位置が反転された状態になっていて、映像が見にくくなる。
【００２４】
そこで、本実施形態では、図１（ｂ）に示すように、第三者１０４がユーザ１０２の対面側からディスプレイ１２０を見ているとき、映像を把握できるように反転表示を行い、反転表示を行った場合であっても、両眼視差による有効な立体表示を実現することが可能な、立体映像表示装置１００について説明する。
【００２５】
（立体映像表示装置１００）
図２は、第１の実施形態にかかる立体映像表示装置１００の概略的な機能を示した機能ブロック図であり、図３は、第１の実施形態にかかる立体映像表示装置１００の外観斜視図である。図２に示すように、立体映像表示装置１００は、中央制御部１１０と、ＲＯＭ（Read On Memory）１１２と、ＲＡＭ（Random Access Memory）１１４と、データ取得部１１６と、データ保持部１１８と、ディスプレイ１２０と、操作部１２８と、を含んで構成される。
【００２６】
ここでは、立体映像表示装置１００として、ノート型パーソナルコンピュータを例に挙げて説明するが、携帯電話、ＰＨＳ（Personal Handy phone System）、カーナビゲーション装置、ＰＤＡ（Personal Digital Assistant）、デジタルカメラ、音楽プレイヤー、ポータブルテレビ、ゲーム機器、ＤＶＤ（Digital Versatile Disk）プレイヤー、リモートコントローラ等、ディスプレイを有する、またはディスプレイと接続可能な様々な電子機器を立体映像表示装置１００として用いることができる。
【００２７】
中央制御部１１０は、中央処理装置（ＣＰＵ）や信号処理装置（ＤＳＰ：Digital Signal Processor）を含む半導体集積回路で構成され、ＲＯＭ１１２に保持された所定のプログラムを用いて立体映像表示装置１００全体を管理および制御する。
【００２８】
ＲＯＭ１１２は、中央制御部１１０が用いる所定のプログラム等を格納するための不揮発性のメモリである。ＲＡＭ１１４は、プログラム実行時の変数等を一時的に格納するための揮発性のメモリである。
【００２９】
データ取得部１１６は、中央制御部１１０の制御指令に従って、立体表示データを取得し、取得した立体表示データをデータ保持部１１８に書き込む。本実施形態において、データ取得部１１６は、立体表示データを直接取得してもよいが、左眼映像データと右眼映像データとが分離した状態で関連付けられる立体映像データを取得して、取得した立体映像データをライン単位で並べ替えて立体表示データを生成し、生成した立体表示データをデータ保持部１１８に書き込んでもよい。
【００３０】
図４は、立体映像データ１４０と立体表示データ１４２を説明するための説明図である。図４に示すように、立体映像データ１４０は、両眼視差による立体視を実現させるための左眼映像データ１４０ａと右眼映像データ１４０ｂとが分離した状態で関連付けられている。一方、立体表示データ１４２は、立体映像データ１４０の左眼映像データ１４０ａまたは右眼映像データ１４０ｂの一方の映像データが後述するディスプレイ１２０の第１の表示ラインに対応する位置にライン単位で配置され、他方が第２の表示ラインに対応する位置にライン単位で配置されている、すなわち、図４に示すように、立体映像データ１４０の左眼映像データ１４０ａと右眼映像データ１４０ｂとがライン単位で交互に並置される。以下、左眼映像データ１４０ａのライン単位のデータを左眼ラインデータ（図４中、ＬＤで示す）と、右眼映像データ１４０ｂのライン単位のデータを右眼ラインデータ（図４中、ＲＤで示す）と称する。
【００３１】
データ保持部１１８は、データ取得部１１６が取得した立体表示データ１４２を一時的に保持する。
【００３２】
ディスプレイ１２０は、液晶ディスプレイ、有機ＥＬ(Electro Luminescence)ディスプレイ等で構成され、後述する表示制御部の表示制御に応じて、立体表示データ１４２を表示する。本実施形態において、ディスプレイ１２０には、第１の表示ラインと、第１の表示ラインとは偏光特性が異なる第２の表示ラインとが交互に並置されている。
【００３３】
操作部１２８は、キーボード、十字キー、ジョイスティック等のスイッチ、ディスプレイ１２０の表示面上に設置されたタッチパネル等で構成され、ユーザ１０２による操作入力を受け付ける。本実施形態において、操作部１２８の所定のキーは、反転受付部１３０としても機能し、ディスプレイ１２０に表示させる映像を上下左右反転させるための入力を受け付ける。そして、かかる入力を受付けた場合、反転受付部１３０として機能する操作部１２８は、映像を上下左右反転させるための入力を受け付けた旨を示す反転信号を後述する表示制御部に伝達する。
【００３４】
本実施形態においては、操作部１２８の所定のキーが反転受付部１３０として機能するが、これに限定されず、例えば、反転受付部として加速度センサを設け、ディスプレイ１２０の表示面１２２と水平面とが為す角度が所定角度を超過した場合に反転信号を伝達したり、反転受付部がディスプレイ１２０と操作部１２８との間に位置するヒンジ１０６（図３参照）の回転角度を測定し所定角度を超過した場合に反転信号を伝達したりしてもよい。
【００３５】
また、本実施形態において、中央制御部１１０は、表示制御部１３２としても機能する。
【００３６】
表示制御部１３２は、データ保持部１１８が保持する立体表示データ１４２を読み出して、ディスプレイ１２０に表示させる。
【００３７】
図５は、第１の実施形態にかかるディスプレイ１２０を説明するための説明図である。図５に示すようにディスプレイ１２０の表示面１２２には、隔行で（１表示ライン毎に）偏光特性が異なる（例えば９０度）偏光フィルタが設けられている。したがって、第１の表示ラインとしての奇数番号の表示ライン１２４ａ（Ｌ１、Ｌ３、Ｌ５、Ｌ（ｎ−１）、ｎは整数かつ偶数）と、第２の表示ラインとしての偶数番号の表示ライン１２４ｂ（Ｒ２、Ｒ４、Ｒｎ）とで偏光特性が異なっている。ここでは、奇数番号の表示ライン１２４ａの映像が偏光眼鏡の左眼側の偏光フィルタに、偶数番号の表示ライン１２４ｂが右目側の偏光フィルタに対応しており、立体表示データ１４２における左眼ラインデータが奇数番号の表示ライン１２４ａに、右眼ラインデータが偶数番号の表示ライン１２４ｂに表示される。
【００３８】
インターレース方式、表示規格、映像規格等に対応させるため、図５に示すように、ディスプレイ１２０の表示ライン１２４（図５中、１２４ａ、１２４ｂで示す）の総ライン数は一般的に偶数である。したがって、図５（ａ）に示すように、表示ライン１２４が水平方向に交互に配置されているディスプレイ１２０をユーザ１０２側から視認するとき（通常表示させるとき）、ディスプレイ１２０の最上部が表示ライン１２４ａ（Ｌ１）である場合には、最下部は表示ライン１２４ｂ（Ｒｎ）となる。すなわち、最上部と最下部の表示ライン１２４の偏光特性が異なることとなる。
【００３９】
表示制御部１３２は、反転受付部１３０から反転信号が伝達されない場合、すなわち、ディスプレイ１２０に立体表示データ１４２を通常表示させる場合、データ保持部１１８が保持する立体表示データ１４２を読み出して、そのままディスプレイ１２０に表示させる。
【００４０】
図６は、表示制御部１３２の処理について説明するための説明図であり、図７は、表示制御部１３２が立体表示データ１４２をディスプレイ１２０に表示させる際の表示順序を説明するための説明図である。特に図７（ａ）は、立体表示データ１４２を通常表示させる場合を、図７（ｂ）は、反転表示させる場合を示す。また図７中、Ａ〜Ｐは画素を示す。
【００４１】
図７（ａ）に示すように、立体表示データ１４２を通常表示させる場合、表示制御部１３２は、立体表示データ１４２におけるラインデータの並び順に従ってラインデータを読み出し、まず、左眼ラインデータＬＤ１を表示ラインＬ１の画素Ａから画素Ｂに表示させ、次に、右眼ラインデータＲＤ２を表示ラインＲ２の画素Ｃから画素Ｄに表示させる。同様の表示処理を繰り返し、最後に、左眼ラインデータＬＤ（ｎ−１）を表示ラインＬ（ｎ−１）の画素Ｍから画素Ｎに、右眼ラインデータＲＤｎを表示ラインＲｎの画素Ｏから画素Ｐに表示する。
【００４２】
そして、ディスプレイ１２０を観察するユーザ１０２は、左右で偏光特性が異なる偏光眼鏡を通じて、奇数番号の表示ライン１２４aに表示された立体表示データ１４２を左眼で、偶数番号の表示ライン１２４ｂに表示された立体表示データ１４２を右眼で視認し、両眼視差による立体映像を通じて、表示面１２２と異なる結像位置でオブジェクトを知覚することが可能となる。
【００４３】
一方、図５（ｂ）に示すように、ディスプレイ１２０をユーザ１０２の対面（第三者１０４）側から視認するとき（反転表示させるとき）には、ユーザ１０２の対面側から見たディスプレイ１２０の最上部は表示ライン１２４ｂ（Ｒｎ）となり、最下部は表示ライン１２４ａ（Ｌ１）となる。したがって、図６の「反転表示」に示すように、立体表示データ１４２を構成するラインデータを、何らの加工無しに単純に、通常表示させる場合の読み出し順序を逆に読み出してディスプレイ１２０に表示させると、左眼ラインデータが右眼用の表示ライン１２４ｂに、右眼ラインデータが左眼用の表示ライン１２４ａに表示されてしまう。
【００４４】
そこで、図６の「反転表示Ａ」に示すように、立体表示データ１４２の読み出し順序を逆にし、さらに、隣接するラインデータ（左眼ラインデータＬＤと右眼ラインデータＲＤ）同士、例えば、左眼ラインデータＬＤ１と右眼ラインデータＲＤ２とを入れ替え、左眼ラインデータＬＤ３と右眼ラインデータＲＤ４を入れ替えて表示させることで、左眼ラインデータＬＤを左眼用の表示ライン１２４ａに、右眼ラインデータＲＤを右眼用の表示ライン１２４ｂに表示させることができる。
【００４５】
しかし、反転表示させる場合に、立体表示データ１４２の読み出し順序を逆にする処理に加えて、左眼ラインデータＬＤと右眼ラインデータＲＤとをそれぞれ入れ替える処理が必要となり処理負荷も増大し、消費電力が増加してしまう。
【００４６】
一方、反転表示させる場合に、図８に示すように、ディスプレイ側で、表示ライン１２４を構成する画素の表示順序を通常表示させる場合と逆にすることで、立体表示データ１４２を自動的に反転表示させる機能を有するディスプレイ１５０も開発されている。立体映像表示装置１００がディスプレイ１２０の代わりにディスプレイ１５０を有する場合、ラインデータの順番を入れ替えるためのメモリは不要であるが、図６の「反転表示Ａ」に示したように左眼ラインデータＬＤと右眼ラインデータＲＤとをそれぞれ入れ替える処理を行うためには、少なくとも別途１ライン分のメモリが必要となり、部品点数が増加し、コストが高くなってしまうといった問題が生ずる。
【００４７】
そこで、本実施形態の表示制御部１３２は、図６中、「反転表示Ｂ」または「反転表示Ｃ」に示すように、反転受付部１３０から反転信号が伝達されると、立体表示データ１４２に奇数ライン分（本実施形態では、１ライン分）の任意のラインデータ（以下、単に挿入データと称する）を挿入し、かつ、立体表示データ１４２をライン単位で奇数ライン分シフトし、シフトした立体表示データ１４２をディスプレイ１２０に上下左右反転させて表示させる。
【００４８】
ここでは、立体表示データ１４２の最後のラインデータＲＤｎの後（反転表示Ｂ）、または立体表示データ１４２の最初のラインデータＬＤ１の前（反転表示Ｃ）に、奇数ライン分の挿入データを挿入する。このような簡単な処理だけで、立体表示データ１４２を奇数ライン分シフトさせることができるので、処理負荷の大幅な増大を招くことなく、映像を反転表示させる場合にも、通常表示させる場合と同様に有効な立体表示を実現することが可能となる。
【００４９】
ここで、挿入データを挿入したライン数分、元々の立体表示データ１４２のラインデータが削除されることとなるが、一般的にラインデータの総ライン数は数百程度であるため、１ライン分のラインデータが表示されないとしても、立体表示には、ほとんど影響を及ぼさない。また、１ライン分の挿入データを、立体表示データ１４２の最初に挿入する場合には最後のラインデータが、最後に挿入する場合には最初のラインデータが表示されない（削除される）ことになるが、第三者１０４がディスプレイ１２０上で注視する位置は、ディスプレイ１２０の中央であるため、最初または最後のラインデータが表示されないとしても立体表示に与える影響は少ない。
【００５０】
上記挿入データは、予め定められたデータ、例えば、黒色（単色）を示す画素値で構成されたデータであるとよい。立体表示データ１４２をシフトさせるために挿入する挿入データを、立体表示データ１４２を実際に構成しているラインデータに基づいて生成すると、参照する際に別途メモリを要し、また参照すべきラインデータが格納されるまで無駄に時間を費やし、さらにラインデータを生成する負荷が必要となる。そこで、黒色を示すデータ等、予め定められたデータを挿入データとする構成により、立体表示データ１４２をシフトさせる度に新たに挿入データを生成しなくて済み、無駄な処理負荷の増加を抑制することが可能となる。
【００５１】
また、ディスプレイ１２０が液晶ディスプレイの場合、有効表示領域とベゼルの間には画像が表示されない領域が存在する。この画像が表示されない領域は、通常黒色である。したがって、挿入データを、この画像が表示されない領域の色と遜色ない色を示すデータすなわち黒色を示すデータにすることで、挿入データが表示される表示ライン１２４をこの画像が表示されない領域と同化させることができ、かかる挿入データの存在を目立たなくすることが可能となる。
【００５２】
以上説明したように、本実施形態にかかる立体映像表示装置１００は、立体表示データ１４２を奇数ライン分シフトさせるといった簡単な処理を遂行するだけで、立体表示データ１４２と表示ライン１２４との対応関係を逆にすることができる。そして、表示制御部１３２が、表示ライン１２４との対応関係が逆になったシフトした立体表示データ１４２を、ディスプレイ１２０に表示させることで、映像を反転表示させる場合にも、通常表示させる場合と同様に有効な立体表示を実現することが可能となる。
【００５３】
（立体映像表示方法）
次に、上述した立体映像表示装置１００を用いて、両眼視差による立体映像を表示する立体映像表示方法を具体的に説明する。
【００５４】
図９および図１０は、立体映像表示方法の全体的な流れを示したフローチャートであり、図９は、表示制御部１３２が立体表示データ１４２の最初に挿入データを挿入する場合（反転表示Ｂ）を、図１０は表示制御部１３２が立体表示データ１４２の最後に挿入データを挿入する場合（反転表示Ｃ）を示す。なお、図１０において、図９に記載した処理と実質的に同一な処理については同一の符号を付して説明を省略する。
【００５５】
１ライン分の挿入データを立体表示データ１４２の最後のラインデータＲＤｎの後に挿入してディスプレイ１２０に表示させる場合、図９に示すように、データ取得部１１６は立体表示データ１４２を取得し（Ｓ２００）、かかる立体表示データ１４２をデータ保持部１１８に書き込む（Ｓ２０２）。
【００５６】
表示制御部１３２は、反転受付部１３０から反転信号が伝達されたか否かを判定し（Ｓ２０４）、伝達されていれば（Ｓ２０４のＹＥＳ）、まず、黒色を示す挿入データをディスプレイ１２０のユーザ１０２の対面側から見た場合の最下部の表示ライン１２４に表示させる（Ｓ２０６）。そして、表示制御部１３２は、ｉ番目のラインデータのｉに表示ライン１２４の総ライン数であるｎを代入し（Ｓ２０８）、ｉ番目のラインデータをデータ保持部１１８から読み出して（Ｓ２１０）、ディスプレイ１２０に表示させる（Ｓ２１２）。
【００５７】
表示制御部１３２は、立体表示データ１４２の２番目のラインデータをディスプレイ１２０に表示させたか否かを判定し（Ｓ２１４）、まだ、２番目のラインデータを表示していなければ（Ｓ２１４のＮＯ）、ｉ番目のラインデータのｉに前回値からデクリメントした（ｉ−１）を代入し（Ｓ２１６）、データ読み出しステップＳ２１０へ戻り、立体表示データ１４２の２番目のラインデータがディスプレイ１２０に表示される（Ｓ２１４のＹＥＳ）まで、立体表示データ１４２をラインデータ単位でディスプレイ１２０に表示させる。
【００５８】
反転受付部１３０から反転信号が伝達されていなければ（Ｓ２０４のＮＯ）、表示制御部１３２は、ｉ番目のラインデータのｉに１を代入し（Ｓ２１８）、ｉ番目のラインデータをデータ保持部１１８から読み出して（Ｓ２２０）、ディスプレイ１２０に表示させる（Ｓ２２２）。そして、表示制御部１３２は、立体表示データ１４２のｎ番目のラインデータをディスプレイ１２０に表示させたか否かを判定し（Ｓ２２４）、まだ、ｎ番目のラインデータを表示していなければ（Ｓ２２４のＮＯ）、ｉ番目のラインデータのｉに前回値からインクリメントした（ｉ＋１）を代入し（Ｓ２２６）、データ読み出しステップＳ２２０へ戻り、立体表示データ１４２のｎ番目のラインデータがディスプレイ１２０に表示される（Ｓ２２４のＹＥＳ）まで、立体表示データ１４２をラインデータ単位でディスプレイ１２０に表示させる。
【００５９】
一方、挿入データを立体表示データ１４２の最初のラインデータＬ１の前に挿入してディスプレイ１２０に表示させる場合、図１０に示すように、表示制御部１３２は、反転受付部１３０から反転信号が伝達されたか否かを判定し（Ｓ２０４）、伝達されていれば（Ｓ２０４のＹＥＳ）、まず、ｉ番目のラインデータのｉに、表示ライン１２４の総ライン数であるｎからデクリメントした（ｎ−１）を代入し（Ｓ２５０）、ｉ番目のラインデータをデータ保持部１１８から読み出して（Ｓ２１０）、ディスプレイ１２０に表示させる（Ｓ２１２）。
【００６０】
表示制御部１３２は、立体表示データ１４２の１番目のラインデータをディスプレイ１２０に表示させたか否かを判定し（Ｓ２５２）、まだ、１番目のラインデータを表示していなければ（Ｓ２５２のＮＯ）、ｉ番目のラインデータのｉに前回値からデクリメントした（ｉ−１）を代入し（Ｓ２１６）、データ読み出しステップＳ２１０へ戻り、立体表示データ１４２の１番目のラインデータがディスプレイ１２０に表示される（Ｓ２５２のＹＥＳ）まで、立体表示データ１４２をラインデータ単位でディスプレイ１２０に表示させる。
【００６１】
そして、表示制御部１３２は、１表示ライン分の挿入データをディスプレイ１２０のユーザ１０２の対面側から見た場合の最上部の表示ライン１２４に表示させる（Ｓ２５４）。
【００６２】
以上説明したように、本実施形態にかかる立体映像表示方法においても、立体表示データ１４２を奇数ライン分シフトさせるといった簡単な処理を遂行するだけで、映像を反転表示させる場合にも、通常表示させる場合と同様に有効な立体表示を実現することが可能となる。さらに、シフトレジスタ等特別の装置を用いず、表示タイミングを工夫するだけで奇数ライン分のシフトを実現しているので、処理負荷やコストを大幅に削減することができる。
【００６３】
（第２の実施形態：立体映像表示装置３００）
上述した第１の実施形態において、立体表示データ１４２を奇数ライン分シフトさせて表示させることで、反転表示させる場合にも、有効な立体表示を実現できる立体映像表示装置１００について説明した。本実施形態では、立体表示データ１４２をシフトさえさせることなく、映像を反転表示させる場合にも、通常表示させる場合と同様に有効な立体表示を実現することが可能な立体映像表示装置３００について説明する。
【００６４】
図１１は、第２の実施形態における立体映像表示装置３００の概略的な機能を示した機能ブロック図である。図１１に示すように、立体映像表示装置３００は、中央制御部３１０と、ＲＯＭ１１２と、ＲＡＭ１１４と、データ取得部１１６と、データ保持部１１８と、ディスプレイ３２０と、操作部１２８と、を含んで構成される。なお、上述した第１の実施形態における構成要素として既に述べたＲＯＭ１１２と、ＲＡＭ１１４と、データ取得部１１６と、データ保持部１１８と、操作部１２８は、実質的に機能が同一なので重複説明を省略し、ここでは、構成が相違するディスプレイ３２０および中央制御部３１０を主に説明する。
【００６５】
ディスプレイ３２０は、液晶ディスプレイ、有機ＥＬ(Electro Luminescence)ディスプレイ等で構成され、後述する表示制御部の表示制御に応じて、立体表示データ１４２を表示する。本実施形態において、ディスプレイ３２０には、第１の表示ラインと、第１の表示ラインとは偏光特性が異なる第２の表示ラインとが交互に並置されており、かつ、第１の表示ラインと第２の表示ラインとを合わせた総ライン数が奇数である。
【００６６】
中央制御部３１０は、中央処理装置（ＣＰＵ）や信号処理装置（ＤＳＰ）を含む半導体集積回路で構成され、ＲＯＭ１１２に保持された所定のプログラムを用いて立体映像表示装置３００全体を管理および制御する。本実施形態において、中央制御部３１０は、データ計数部３３０、表示制御部３３２としても機能する。
【００６７】
データ計数部３３０は、立体表示データ１４２を構成するラインデータの数を計数する。
【００６８】
表示制御部３３２は、データ保持部１１８が保持する立体表示データ１４２を読み出して、ディスプレイ３２０に表示させる。
【００６９】
図１２は、本実施形態にかかるディスプレイ３２０を説明するための説明図である。図１２に示すように、ディスプレイ３２０の表示面３２２には、隔行で（１表示ライン毎に）偏光特性が異なる（例えば９０度）偏光フィルタが設けられている。したがって、第１の表示ラインとしての奇数番号の表示ライン３２４ａ（Ｌ１、Ｌ３、Ｌ５、Ｌ（ｎ）、ｎは奇数）と、第２の表示ラインとしての偶数番号の表示ライン３２４ｂ（Ｒ２、Ｒ４、Ｒ（ｎ−１））とで偏光特性が異なっている。ここでは、立体表示データ１４２における左眼ラインデータが奇数番号の表示ライン３２４ａに、右眼ラインデータが偶数番号の表示ライン３２４ｂに表示される。
【００７０】
上述したように、ディスプレイ３２０の表示ライン３２４（図１２中、３２４ａ、３２４ｂで示す）の総ライン数は奇数であるため、一方の表示ライン３２４、ここでは奇数番号の表示ライン３２４ａが偶数番号の表示ライン３２４ｂよりライン数が多くなり、図１２（ａ）および（ｂ）に示すように、表示ライン３２４が水平方向に交互に配置されているディスプレイ３２０は、ユーザ１０２側から視認する場合（通常表示させる場合）であっても、ユーザ１０２の対面側から視認する場合（反転表示させる場合）であっても、最上部の表示ライン３２４と最下部の表示ライン３２４は同一となる、すなわち、偏光特性の異なるそれぞれの表示ライン３２４の配列が同一になる。
【００７１】
図１３は、本実施形態にかかる表示制御部３３２の処理について説明するための説明図である。表示制御部３３２は、データ保持部１１８が保持する立体表示データ１４２を構成するラインデータの数が表示ライン３２４の総ライン数と等しいときであって、反転受付部１３０から反転信号が伝達されない場合、すなわち、ディスプレイ３２０に立体表示データ１４２を通常表示させる場合（図１３（ａ）の「通常表示Ａ」で示す）、データ保持部１１８が保持する立体表示データ１４２を読み出して、そのままディスプレイ３２０に表示させる。なお、データ保持部１１８が保持する立体表示データ１４２を構成するラインデータの数は、データ計数部３３０により算出される。
【００７２】
一方、表示制御部３３２は、立体表示データ１４２を構成するラインデータの数と表示ライン３２４の総ライン数とが等しいときであって、反転受付部１３０から反転信号が伝達された場合、すなわち、立体表示データ１４２を反転表示させる場合、図１３（ａ）の「反転表示Ａ」に示すように立体表示データ１４２を上下左右反転させてディスプレイ３２０に表示させる。
【００７３】
また、図１３（ｂ）の「通常表示Ｂ」および「反転表示Ｂ」に示すように、立体表示データ１４２ａのラインデータの数が、表示ライン３２４の総ライン数未満、かつ偶数である場合、少なくとも立体表示データ１４２の最後のラインデータＲＤ（ｎ−１）の後に、奇数ライン分の挿入データを挿入するとよい。
【００７４】
立体表示データ１４２ａを構成するラインデータの数が、ディスプレイ３２０の表示ライン３２４の総ライン数未満である場合、ラインデータが表示されない表示ライン３２４ができてしまう。したがって、不足しているラインデータを補う必要が生じる。この際、ラインデータの数が奇数である場合、すなわち、ラインデータの数と表示ライン３２４の本数との差分が偶数である場合には、挿入データを挿入する位置は、立体表示データ１４２の最初のラインデータＬＤ１の前であっても最後のラインデータＲＤ（ｎ−１）の後であっても、それぞれのラインデータを適切な表示ライン３２４に表示させることができる。
【００７５】
しかし、ラインデータの数が偶数である場合、すなわち、ラインデータの数と表示ライン３２４の本数との差分が奇数である場合に、無作為にラインデータを追加すると、立体表示データ１４２ａの各ラインデータが不規則になり、反転表示させたときに所望する映像が得られない場合がある。
【００７６】
そこで、少なくとも立体表示データ１４２の最後のラインデータＲＤ（ｎ−１）の後に、挿入データを奇数ライン分挿入する構成により、立体表示データ１４２ａを構成するそれぞれのラインデータを適切な表示ライン３２４に確実に表示させつつ、ラインデータが表示されない表示ライン３２４に任意のラインデータを表示させることが可能となる。
【００７７】
このとき挿入データは、上述したように予め定められたデータ、例えば、黒色（単色）を示す画素値で構成されたデータであるとよい。上述した第１の実施形態と同様に、立体表示データ１４２ａと表示ライン３２４との差分を補うために挿入する挿入データを、立体表示データ１４２ａを構成する任意のラインデータを複製して作成すると、参照する際に別途メモリを要し、また参照すべきラインデータが格納されるまで無駄に時間を費やし、さらにラインデータを生成する負荷が必要となる。ここでも、黒色を示すデータ等予め定められた所定の色を示すデータを挿入データとする構成により、立体表示データ１４２ａと表示ライン３２４とのライン数の差分を補う度に新たに挿入データを生成しなくて済み、無駄な処理負荷の増加を抑制することが可能となる。
【００７８】
また、上記第１の実施形態と同様、ディスプレイ３２０が液晶ディスプレイの場合、有効表示領域とベゼルの間には画像が表示されない領域が存在する。そして、この画像が表示されない領域は、通常黒色である。したがって、挿入データを、この画像が表示されない領域の色と遜色ない色を示すデータすなわち黒色を示すデータにすることで、挿入データが表示される表示ライン３２４をこの画像が表示されない領域と同化させることができ、かかる挿入データの存在を目立たなくすることが可能となる。
【００７９】
さらに、図１３（ｃ）の「通常表示Ｃ」および「反転表示Ｃ」に示すように、データ計数部３３０が計数したラインデータの数が、ディスプレイ３２０における表示ライン３２４の本数を超過し、かつ偶数である場合、超過した分のラインデータのうち、少なくとも立体表示データ１４２の最後のラインデータＲＤ（ｎ＋１）を含む奇数ライン分のラインデータを削除してもよい。
【００８０】
一方、立体表示データ１４２ｂを構成するラインデータの数が、表示ライン３２４の総ライン数を超過する場合、表示ライン３２４に表示されない余剰したラインデータが存在することになる。この際、ラインデータの数が奇数である場合、すなわち、ラインデータの数と表示ライン３２４の本数との差分が偶数である場合には、削除するラインデータは、最初のラインデータであっても最後のラインデータであっても、それぞれのラインデータを適切な表示ラインに表示させることができる。
【００８１】
しかし、ラインデータの数が偶数の場合、すなわち、ラインデータの数と表示ラインの総ライン数との差分が奇数である場合に、削除するラインデータを無作為に抽出すると、立体表示データ１４２ｂの各ラインデータが不規則になり、反転表示させたときに所望する映像が得られない場合がある。そこで、上記少なくとも立体表示データ１４２の最後のラインデータＲＤ（ｎ＋１）を削除する構成により、立体表示データ１４２ｂを構成するそれぞれのラインデータを適切な表示ライン３２４に確実に表示させることができ立体表示を実現することが可能となる。
【００８２】
また、一般的に、ユーザ１０２または第三者１０４がディスプレイ３２０上で注視する位置は、ディスプレイ３２０の中央であるため、立体表示データ１４２の最初または最後のラインデータを削除しても立体表示に与える影響は少ない。
【００８３】
本実施形態において、表示制御部３３２は、計数されたラインデータの数が、ディスプレイ３２０における表示ライン３２４の本数を超過し、かつ偶数である場合、超過した分のラインデータのうち、少なくとも立体表示データ１４２の最後のラインデータＲＤ（ｎ＋１）から奇数ライン分のラインデータを削除するが、少なくとも最後の奇数ライン分をディスプレイ３２０に表示させないことで削除する処理を省略することができる。
【００８４】
以上説明したように、本実施形態にかかる立体映像表示装置３００においても、ディスプレイ３２０の表示ライン３２４の総ライン数が奇数である場合、例えば、表示ライン３２４が水平方向に交互に配置されているディスプレイにおいて、ユーザ１０２側から視認する場合であっても、ユーザ１０２の対面側から視認する場合であっても、偏光特性の異なるそれぞれの表示ライン３２４の配列が同一になる。したがって、立体映像表示装置３００は、映像を反転表示させる場合に、立体表示データ１４２を上下左右反転させてディスプレイ３２０に表示させるだけで、通常表示させる場合と同様に有効な立体表示を実現することが可能となる。
【００８５】
（立体映像表示方法）
次に、上述した立体映像表示装置３００を用いて、両眼視差による立体映像を表示する立体映像表示方法を具体的に説明する。
【００８６】
図１４および図１５は、立体映像表示方法の全体的な流れを示したフローチャートである。図１４に示すように、データ取得部１１６は立体表示データ１４２を取得すると（Ｓ４００）、データ計数部３３０は、立体表示データ１４２を構成するラインデータの数を計数する（Ｓ４０２）。そして、データ取得部１１６はかかる立体表示データ１４２をデータ保持部１１８に順次書き込む（Ｓ４０４）。データ計数部３３０がすべてのラインデータの数の計数を終了していない場合はステップＳ４００に戻る。データ計数部３３０がすべてのラインデータの数の計数を終了した場合（Ｓ４０６のＹＥＳ）、表示制御部３３２は、ディスプレイ３２０の表示ライン３２４の総ライン数ｎからデータ計数ステップＳ４０２〜Ｓ４０６において計数されたラインデータの数を引いた値ｄを算出する（Ｓ４０８）。
【００８７】
つぎに表示制御部３３２は、反転受付部１３０から反転信号が伝達されたか否かを判定し（Ｓ４１０）、伝達されていれば（Ｓ４１０のＹＥＳ）、差分算出ステップＳ４０８で算出した値ｄが、０以下であるか否かを判定する（Ｓ４１２）。
【００８８】
値ｄが０以下であれば（Ｓ４１２のＹＥＳ）、表示制御部３３２は、ｉ番目のラインデータのｉに、表示ライン３２４の総ライン数であるｎを代入し（Ｓ４１４）、ｉ番目のラインデータをデータ保持部１１８から読み出して（Ｓ４１６）、ディスプレイ３２０に表示させる（Ｓ４１８）。
【００８９】
表示制御部３３２は、立体表示データ１４２の１番目のラインデータをディスプレイ３２０に表示させたか否かを判定し（Ｓ４２０）、まだ、１番目のラインデータを表示していなければ（Ｓ４２０のＮＯ）、ｉ番目のラインデータのｉに前回値からデクリメントした（ｉ−１）を代入し（Ｓ４２２）、データ読み出しステップＳ４１６へ戻り、立体表示データ１４２の１番目のラインデータがディスプレイ３２０に表示される（Ｓ４２０のＹＥＳ）まで、立体表示データ１４２をラインデータ単位でディスプレイ３２０に表示させる。このとき、ｄ＜０である場合は、立体表示データ１４２の（ｎ＋１）番目から（ｎ＋ｄ）番目までのラインデータが表示されないこととなる。
【００９０】
値ｄが０より大きければ（Ｓ４１２のＮＯ）、ディスプレイ３２０のユーザ１０２の対面側から見た場合の最下部の表示ライン３２４からｄ番目の表示ライン３２４まで挿入データを表示させる（Ｓ４２４）。そして、表示制御部３３２は、ｉ番目のラインデータのｉに（ｎ−ｄ）を代入し（Ｓ４２６）、ｉ番目のラインデータをデータ保持部１１８から読み出して（Ｓ４２８）、ディスプレイ３２０に表示させる（Ｓ４３０）。
【００９１】
表示制御部３３２は、立体表示データ１４２の１番目のラインデータをディスプレイ３２０に表示させたか否かを判定し（Ｓ４３２）、まだ、１番目のラインデータを表示していなければ（Ｓ４３２のＮＯ）、ｉ番目のラインデータのｉに前回値からデクリメントした（ｉ−１）を代入し（Ｓ４３４）、データ読み出しステップＳ４２８へ戻り、立体表示データ１４２の１番目のラインデータがディスプレイ３２０に表示される（Ｓ４３２のＹＥＳ）まで、立体表示データ１４２をラインデータ単位でディスプレイ３２０に表示させる。
【００９２】
一方、図１５に示すように、反転受付部１３０から反転信号が伝達されない場合、すなわち、通常表示させる場合（Ｓ４１０のＮＯ）、図１４に示す差分算出ステップＳ４０８で算出した値ｄが、０以下であるか否かを判定する（Ｓ５０２）。
【００９３】
値ｄが０以下であれば（Ｓ５０２のＹＥＳ）、表示制御部３３２は、ｉ番目のラインデータのｉに１を代入し（Ｓ５０４）、ｉ番目のラインデータをデータ保持部１１８から読み出して（Ｓ５０６）、ディスプレイ３２０に表示させる（Ｓ５０８）。
【００９４】
表示制御部３３２は、表示ライン３２４の総ライン数であるｎ番目のラインデータをディスプレイ３２０に表示させたか否かを判定し（Ｓ５１０）、まだ、ｎ番目のラインデータを表示していなければ（Ｓ５１０のＮＯ）、ｉ番目のラインデータのｉに前回値からインクリメント（ｉ＋１）を代入し（Ｓ５１２）、データ読み出しステップＳ５０６へ戻り、立体表示データ１４２のｎ番目のラインデータがディスプレイ３２０に表示される（Ｓ５１０のＹＥＳ）まで、立体表示データ１４２をラインデータ単位でディスプレイ３２０に表示させる。
【００９５】
値ｄが０より大きければ（Ｓ５０２のＮＯ）、表示制御部３３２は、ｉ番目のラインデータのｉに１を代入し（Ｓ５１４）、ｉ番目のラインデータをデータ保持部１１８から読み出して（Ｓ５１６）、ディスプレイ３２０に表示させる（Ｓ５１８）。
【００９６】
表示制御部３３２は、（ｎ−ｄ）番目のラインデータをディスプレイ３２０に表示させたか否かを判定し（Ｓ５２０）、まだ、（ｎ−ｄ）番目のラインデータを表示していなければ（Ｓ５２０のＮＯ）、ｉ番目のラインデータのｉに前回の値からインクリメントした（ｉ＋１）を代入し（Ｓ５２２）、データ読み出しステップＳ５１６へ戻り、立体表示データ１４２の（ｎ−ｄ）番目のラインデータがディスプレイ３２０に表示される（Ｓ５２０のＹＥＳ）まで、立体表示データ１４２をラインデータ単位でディスプレイ３２０に表示させる。
【００９７】
そして、表示制御部３３２は、ｄライン分の挿入データをディスプレイ３２０のユーザ１０２側から見た場合の最上部の表示ライン３２４に表示させる（Ｓ５２４）。
【００９８】
以上説明したように、本実施形態にかかる立体映像表示方法においても、ディスプレイ３２０の総ライン数を奇数にするといった構成にするだけで、映像を反転表示させる場合にも、通常表示させる場合と同様に有効な立体表示を実現することが可能となる。
【００９９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１００】
例えば、上述した実施形態において、ディスプレイには、表示ラインが水平方向に並置されたディスプレイを用いて説明をしたが、表示ラインが鉛直方向に並置されたディスプレイを用いても本発明の効果を得ることができる。また、ディスプレイにおける１表示ラインを１画素ラインとして説明したが、任意の数の画素ラインを１表示ラインとしてもよい。
【０１０１】
さらに、上記第２の実施形態において、反転表示機能を有していないディスプレイ３２０を例に挙げて説明したが、図８に示した反転表示機能を有し、かつ表示ラインの総ライン数が奇数のものを用いてもよい。かかる場合ラインデータの順番を入れ替えるためのメモリは不要となり、部品点数を減らすことができる。
【０１０２】
また、上述した実施形態において、挿入ラインは少なくともディスプレイの最下部の表示ラインに１つ挿入しているが、最上部に偶数ライン、最下部に奇数ライン挿入してもよい。
【０１０３】
なお、本明細書の立体映像表示方法の各工程は、必ずしもフローチャートとして記載された順序に沿って時系列に処理する必要はなく、並列的あるいはサブルーチンによる処理を含んでもよい。
【産業上の利用可能性】
【０１０４】
本発明は、両眼視差による立体映像をディスプレイに表示することが可能な立体映像表示装置および立体映像表示方法に利用することができる。
【符号の説明】
【０１０５】
１００、３００  …立体映像表示装置
１１０、３１０  …中央制御部
１１２  …ＲＯＭ
１１４  …ＲＡＭ
１１６  …データ取得部
１１８  …データ保持部
１２０、１５０、３２０  …ディスプレイ
１２２、３２２  …表示面
１２４、３２４  …表示ライン
１２８  …操作部
１３０  …反転受付部
１３２、３３２  …表示制御部
１４０  …立体映像データ
１４２  …立体表示データ
３３０  …データ計数部
【図１】
2011049938.tif 000003
【図２】
2011049938.tif 000004
【図３】
2011049938.tif 000005
【図４】
2011049938.tif 000006
【図５】
2011049938.tif 000007
【図６】
2011049938.tif 000008
【図７】
2011049938.tif 000009
【図８】
2011049938.tif 000010
【図９】
2011049938.tif 000011
【図１０】
2011049938.tif 000012
【図１１】
2011049938.tif 000013
【図１２】
2011049938.tif 000014
【図１３】
2011049938.tif 000015
【図１４】
2011049938.tif 000016
【図１５】
2011049938.tif 000017
【図１６】
2011049938.tif 000018